(57)【要約】  【課題】  隣接する空気吹出路に備えた複数の左右風向偏向板用の駆動手段を簡素化できて、コストを低減し作業性を向上できるようにした天井埋込型の空気調和機を提供する。  【解決手段】  スペーサ１３に、空気吸込路１３ａと空気吹出路１３ｂと、挿通溝１２ｂを有する仕切り壁１２ａを介して設けられた収容溝１２と、収容溝１２にスライド自在に収容され従動用ラック１７ａと連結用ラック１７ｂとを有する連結板１７と、前記挿通溝１２ｂに枢支される枢軸１５ｂと前記連結用ラック１７ｂに歯合する従動ピニオン１８ｂとを有して空気吹出路１３ｂの風向を偏向する複数の左右風向偏向板１５と、従動用ラック１７ａに歯合する駆動ピニオン１８ｂを有して収容溝１２のコーナ部に収納される駆動モータ１８ａとを備え、隣接する前記空気吹出路１３ｂの風向を偏向する複数の左右風向偏向板１５が単一の駆動モータ１８ａにより回動する。【選択図】  図１
2010210132.tif 000002
【特許請求の範囲】
【請求項１】
下部中央に空気吸込部を、同空気吸込部の外側に複数の空気吹出部を夫々備え、これら空気吸込部と空気吹出部とを結ぶ空気通路に送風機と熱交換器とを備えた本体と、前記空気吸込部に対応する吸込口と、前記空気吹出部に対応し上下風向偏向板を回動自在に枢支する複数の吹出口とを備えた化粧パネルと、前記本体と前記化粧パネルとの間に設けられ、前記空気吸込部と前記吸込口とに連通する空気吸込路と、前記空気吹出部と前記吹出口とに連通する空気吹出路と、同空気吹出路の内側に挿通溝を有する仕切り壁を介して設けられた収容溝と、同収容溝にスライド自在に収容され従動用ラックと連結用ラックとを有する連結板と、前記挿通溝に枢支される枢軸と前記連結用ラックに歯合する従動ピニオンとを有して前記空気吹出路の風向を偏向する複数の左右風向偏向板と、前記従動用ラックに歯合する駆動ピニオンを有して前記収容溝のコーナ部に収納される駆動モータとを備えたスペーサとからなり、
隣接する前記空気吹出路の風向を偏向する前記複数の左右風向偏向板が単一の駆動モータにより回動されてなることを特徴とする天井埋込型の空気調和機。
【請求項２】
隣接する前記空気吹出路の風向を偏向する前記複数の左右風向偏向板が逆方向に回動してなることを特徴とする請求項１に記載の天井埋込型の空気調和機。
【発明の詳細な説明】
【技術分野】
【０００１】
本発明は、天井埋込型の空気調和機に係わり、より詳細には、複数の空気吹出路に備えた左右方向の風向を偏向する複数の左右風向偏向板の駆動機構に関する。
【背景技術】
【０００２】
従来の天井埋込型の空気調和機には、複数の空気吹出路に、上下風向偏向板を備えるとともに、複数の左右風向偏向板を夫々備えることにより、室内の温度ムラをなくして快適な空気調和を行うようにしたものがある。
【０００３】
すなわち、図７（Ａ）および図７（Ｂ）に示す空気調和機のように、複数の空気吹出路ａに、上下方向の風向を偏向する上下風向偏向板（第２フラップ）ｂと、この上下風向偏向板（第２フラップ）ｂを駆動する図示しない第二の駆動手段（駆動モータ）と、左右方向の風向を偏向するように連結部材（リンクバー）ｃで相互に連結された複数の左右風向偏向板（第１フラップ）ｄと、この複数の左右風向偏向板（第１フラップ）ｄを駆動する第一の駆動手段（駆動モータ）ｅとを備えた構成になっている（例えば、特開２００３−１９４３８９号公報）。
【０００４】
これにより、複数の空気吹出路ａから吹き出される吹出空気流は、上下方向および左右方向の風向が偏向されることによって、室内に温度ムラを生じさせない快適な空気調和を実現している。
【０００５】
しかしながら、複数の空気吹出路ａに夫々設けられた複数の左右風向偏向板（第１フラップ）ｄは、各空気吹出路ａごとに一個づつ設けられた第一の駆動手段（駆動モータ）ｅによって駆動される構成であることから、第一の駆動手段（駆動モータ）ｅの数量を空気吹出路ａの数と同数に合わせる必要があるためコスト的に不利であり、また、組立の作業量も多くなることから作業性が悪いという問題点を有していた。
【先行技術文献】
【特許文献】
【０００６】
【特許文献１】特開２００３−１９４３８９号公報
【発明の概要】
【発明が解決しようとする課題】
【０００７】
そこで、本発明は上述した課題を解決するためになされたものであって、その目的は、隣接する複数の空気吹出路に備えた複数の左右風向偏向板用の駆動手段を簡素化できて、コストを低減し作業性を向上できるようにした天井埋込型の空気調和機を提供することにある。
【課題を解決するための手段】
【０００８】
上述した目的を達成できるように構成するため、本発明は以下に示す特徴を備えている。
【０００９】
下部中央に空気吸込部を、同空気吸込部の外側に複数の空気吹出部を夫々備え、これら空気吸込部と空気吹出部とを結ぶ空気通路に送風機と熱交換器とを備えた本体と、前記空気吸込部に対応する吸込口と、前記空気吹出部に対応し上下風向偏向板を回動自在に枢支する複数の吹出口とを備えた化粧パネルと、前記本体と前記化粧パネルとの間に設けられ、前記空気吸込部と前記吸込口とに連通する空気吸込路と、前記空気吹出部と前記吹出口とに連通する空気吹出路と、同空気吹出路の内側に挿通溝を有する仕切り壁を介して設けられた収容溝と、同収容溝にスライド自在に収容され従動用ラックと連結用ラックとを有する連結板と、前記挿通溝に枢支される枢軸と前記連結用ラックに歯合する従動ピニオンとを有して前記空気吹出路の風向を偏向する複数の左右風向偏向板と、前記従動用ラックに歯合する駆動ピニオンを有して前記収容溝のコーナ部に収納される駆動モータとを備えたスペーサとからなり、
隣接する前記空気吹出路の風向を偏向する前記複数の左右風向偏向板が単一の駆動モータにより回動されてなることを特徴としている。
【００１０】
また、隣接する前記空気吹出路の風向を偏向する前記複数の左右風向偏向板が逆方向に回動してなることを特徴としている。
【発明の効果】
【００１１】
本発明によれば、隣接する複数の空気吹出路に備えた複数の左右風向偏向板用の駆動手段を簡素化できて、コストを低減し作業性を向上できるようにした天井埋込型の空気調和機を提供できる。
【図面の簡単な説明】
【００１２】
【図１】本発明による天井埋込型の空気調和機の断面図である。
【図２】本発明による天井埋込型の空気調和機の分解斜視図である。
【図３】本発明による天井埋込型の空気調和機の要部説明図で、（Ａ）はスペーサの分解斜視図およびスペーサの組立斜視図であり、（Ｂ）は図３（Ａ）に示すＢ部の拡大図である。
【図４】図２に示すＡ−Ａ断面図である。
【図５】本発明による天井埋込型の空気調和機の吹出空気流の分布を示す説明図である。
【図６】本発明による天井埋込型の空気調和機の要部説明図で、（Ａ）は実施例１を示す斜視図であり、（Ｂ）は実施例２を示す斜視図である。
【図７】従来例による天井埋込型の空気調和機の要部説明図で、（Ａ）は断面図であり、（Ｂ）は下方から見た図である。
【発明を実施するための形態】
【００１３】
以下、本発明を実施するための形態を、添付図面に基づいた実施例として詳細に説明する。
【００１４】
本発明による天井埋込型の空気調和機が、空気調和機の本体１と、ダクト１０を接続して外気を吸い込めるようにしたスペーサ１３と、吸込口７および吹出口８を備えた化粧パネル９とで構成されていることを以下に説明したのち、順次、上下方向の風向を偏向するための上下風向偏向板１４の構成について説明するとともに、スペーサ１３に、左右方向の風向を偏向するための左右風向偏向板１５と、この左右風向偏向板１５を回動自在に駆動するために連係される駆動手段１６とを設けた実施例について説明する。
【００１５】
本発明による天井埋込型の空気調和機は、図１に示すように、空気調和機の本体１の下部中央に空気吸込部２が設けられ、空気吸込部２の外側に空気吹出部３が設けられ、これら空気吸込部２と空気吹出部３とを結ぶ空気通路には、送風ファンおよびファンモータからなる送風機４と、下部にドレンパン６を備えた熱交換器５とが設けられている。
【００１６】
本体１の下部には、空気吸込部２に向け、接続したダクト１０で外気を取り込めるように構成したスペーサ１３が設けられている。
【００１７】
スペーサ１３は、図１と、図２と、図３（Ａ）および図３（Ｂ）とに示すように、本体１に備えた空気吸込部２に連通する空気吸込路１３ａと、本体１に備えた空気吹出部３に連通する空気吹出路１３ｂとを備えており、これら空気吸込路１３ａと空気吹出路１３ｂとは、夫々が上下に貫通した構成になっている。
【００１８】
スペーサ１３の下部には、本体１の下部中央に備えた空気吸込部２と、スペーサ１３に備えた空気吸込路１３ａとに連通する吸込口７を有するとともに、空気吸込部２の外側（四側）に備えた空気吹出部３と、スペーサ１３に備えた空気吹出路１３ｂとに連通する吹出口８を有する化粧パネル９が設けられており、図１に示すように、本体１と、スペーサ１３と、化粧パネル９とで天井埋込型の空気調和機が構成されている。
【００１９】
これにより、図１に示す矢印ａのように送風機４によって吸込口７から吸い込まれた室内空気と、図１に示す矢印ｂのようにダクト１０を接続した取込口１１から取り込まれた外気とが、スペーサ１３に備えた空気吸込路１３ａから送風機４を経て熱交換器５に送出され熱交換されて、スペーサ１３に備えた空気吹出路１３ｂを経て化粧パネル９に備えた吹出口８に送出される。
【００２０】
すなわち、吸込口７から吸い込まれた室内空気と、フレッシュエアとして取込口１１から取り込まれた外気とが、空気吸込路１３ａで混合したのち熱交換器５で熱交換された調和空気として、図１に示す矢印ａ＋ｂのように、吹出口８から室内に吹き出されることになる。
【００２１】
その際、化粧パネル９に備えた吹出口８に回動自在に設けられた上下風向偏向板１４により上下方向の風向が偏向され、スペーサ１３に備えた空気吹出路１３ｂに回動自在に設けられた左右風向偏向板１５によって左右方向の風向が偏向されることにより、室内の温度ムラをなくして快適な空気調和を行えるようにしている。
【００２２】
なお、図１に示すダクト１０は、スペーサ１３のコーナ部近傍に接続されることで、外気を取込口１１から空気吸込路１３ａに取り込む構成になっているが、図２および図３（Ａ）においては、ダクト１０および取込口１１を省略している。
【００２３】
ここで、複数の左右風向偏向板１５と、この左右風向偏向板１５を回動自在に駆動する駆動手段１６とが設けられるスペーサ１３の構成について、図３に基づいて、以下に詳細に説明する。
【００２４】
スペーサ１３は、図３（Ａ）の上部位置に示す分解斜視図と、この分解斜視図の下部位置に矢印を介して示す組立斜視図のように、ベース部１３１とカバー部１３２とで構成されている。
【００２５】
ベース部１３１は、中央部に空気吸込路１３ａを備え、この空気吸込路１３ａの外側（四側）には複数の空気吹出路１３ｂを備えており、空気吹出路１３ｂの長手方向の中央部には補強桟１３ｃを備えている。
【００２６】
複数の空気吹出路１３ｂの内側には、図３（Ａ）および図３（Ｂ）に示すように、内壁となる仕切り壁１２ａを介して、後述する連結板１７をスライド可能に収容する収容溝１２が形成され、仕切り壁１２ａには、左右風向偏向板１５の枢軸１５ｂを枢支する挿通溝１２ｂが形成されることにより、複数の左右風向偏向板１５を枢支する枢支部が、凹部となる挿通溝１２ｂと、凸部となる枢軸１５ｂとで構成されている。
【００２７】
ベース部１３１の収容溝１２が隣り合っているコーナ部には、対角線上に、駆動手段１６をなす駆動モータ１８ａを収納するためのモータ収納部１３ｄが形成されている。
【００２８】
また、カバー部１３２は、中央部にベース部１３１の空気吸込路１３ａに対応する空気吸込路１３ａ’を備えており、外側（四側）には、ベース部１３１の空気吹出路１３ｂに対応する空気吹出路１３ｂ’を備えている。
【００２９】
カバー部１３２が、図３（Ａ）の分解斜視図に示す矢印のように、ベース部１３１の上部をカバーするように被着されることにより、図３（Ａ）の組立斜視図に示すように、スペーサ１３が構成されることになる。
【実施例１】
【００３０】
次に、実施例１として示す図６（Ａ）に基づいて、スペーサ１３に設けられる複数の左右風向偏向板１５と、この複数の左右風向偏向板１５を回動自在に駆動する駆動手段１６の構成について以下に説明する。
【００３１】
スペーサ１３に備えた空気吹出路１３ｂには、この空気吹出路１３ｂを流通する空気流を左右方向に偏向するための複数の左右風向偏向板１５が設けられ、この複数の左右風向偏向板１５は、枢軸１５ｂを介して従動ピニオン１５ａを一体的に備えた構成になっている。
【００３２】
複数の左右風向偏向板１５が備えている枢軸１５ｂは、図６（Ｂ）に示すように、ベース部１３１に形成されている仕切り壁１２ａに備えた挿通溝１２ｂを挿通した状態で、この挿通溝１２ｂによって枢支された構成になっている。
【００３３】
これにより、複数の左右風向偏向板１５は、仕切り壁１２ａに備えた挿通溝１２ｂに枢支された枢軸１５ｂを介して、左右風向偏向板１５が空気吹出路１３ｂに配置される一方、従動ピニオン１５ａが収容溝１２に配置された構成になる。
【００３４】
従動ピニオン１５ａは、連結板１７に形成されている連結用ラック１７ｂに歯合しており、連結板１７は、空気吹出路１３ｂの内側に仕切り壁１２ａを介して形成された収容溝１２にスライド自在に収容されている。
【００３５】
連結用ラック１７ｂは、連結板１７の上面に形成されることで従動ピニオン１５ａに歯合しており、連結板１７が収容溝１２に沿ってスライドすることで、挿通溝１２ｂに枢支されている枢軸１５ｂが回転して、複数の左右風向偏向板１５を連結した状態で回動させるようにしている。
【００３６】
略直角に弾性変形している連結板１７の中央部には、内側に従動用ラック１７ａが形成されるとともに、この従動用ラック１７ａには、駆動モータ１８ａの駆動軸に備えた駆動ピニオン１８ｂが歯合している。
【００３７】
複数の左右風向偏向板１５を回動自在に駆動する駆動手段１６は、左右風向偏向板１５に備えた従動ピニオン１５ａおよび枢軸１５ｂと、連結板１７と、連結板１７に備えた従動用ラック１７ａおよび連結用ラック１７ｂと、駆動モータ１８ａおよび駆動モータ１８ａの駆動軸に備えた駆動ピニオン１８ｂからなる駆動部１８とで構成されている。
【００３８】
ここで、実施例１として図６（Ａ）に示す複数の左右風向偏向板１５と、この複数の左右風向偏向板１５を回動自在に駆動する駆動手段１６とを、スペーサ１３を構成するベース部１３１に組み付ける手順について説明する。
【００３９】
駆動モータ１８ａを２個、ベース部１３１の対角線上となる二箇所のコーナ部に形成されたモータ収納部１３ｄに夫々１個づつ取り付けた状態で収納する。
【００４０】
２個の駆動モータ１８ａに対応する２枚の連結板１７を、ベース部１３１に備えた収容溝１２にスライド自在に収容して、駆動モータ１８ａの駆動軸に備えた駆動ピニオン１８ｂに、連結板１７に備えた従動用ラック１７ａを歯合させる。
【００４１】
複数の左右風向偏向板１５に備えた枢軸１５ｂを、図３（Ｂ）に示すように、仕切り壁１２ａに備えた挿通溝１２ｂの上方から挿入して、複数の左右風向偏向板１５を複数の空気吹出路１３ｂに配置するとともに、従動ピニオン１５ａを連結板１７に備えた連結用ラック１７ｂに歯合させる。
【００４２】
これにより、枢軸１５ｂが、仕切り壁１２ａに備えた挿通溝１２ｂを挿通した状態で枢支され、複数の左右風向偏向板１５が、ベース部１３１に備えた複数の空気吹出路１３ｂで左右方向の風向を偏向できるように回動自在に組み付けられた構成になる。
【００４３】
なお、ここでは、駆動モータ１８ａがベース部１３１の対角線上となる二箇所のモータ収納部１３ｄに夫々１個づつ収納された構成として説明したが、必ずしも、駆動モータ１８ａを１個づつ（計２個）使う必要はなく、単一の駆動モータ１８ａで複数の左右風向偏向板１５を回動できるように構成してもよい。
【００４４】
その場合、図示はしないが、単一の駆動モータ１８ａに対応する単一の連結板１７を、複数（四側）の空気吹出路１３ｂに配設される複数の左右風向偏向板１５を全部いっしょに連結できるように形成することで、更に、構成の簡素化をはかることができる。
【００４５】
次に、実施例１として図６（Ａ）に示す複数の左右風向偏向板１５と、この複数の左右風向偏向板１５を駆動する駆動手段１６により回動する動作について説明する。
【００４６】
駆動モータ１８ａを起動することにより、この駆動モータ１８ａの駆動軸に備えた駆動ピニオン１８ｂが回転して、駆動ピニオン１８ｂに歯合している従動用ラック１７ａを備えた連結板１７が、例えば、図６（Ａ）の矢印Ａに示すようにスライドする。
【００４７】
連結板１７が、矢印Ａに示すようにスライドすることで、複数の連結用ラック１７ｂに噛合した状態で夫々連結されている複数の従動ピニオン１５ａが回転し、この複数の従動ピニオン１５ａが一体的に形成されている複数の左右風向偏向板１５が、図６（Ａ）の矢印ａに示すように回動して図４に示す位置に傾斜し、図４の太線の矢印のように、空気吹出路１３ｂの長手方向（左右方向）に向けて風向を偏向させることになる。
【００４８】
なお、連結板１７が、例えば、図６（Ａ）に示す矢印Ａの逆方向にスライドした場合には、複数の左右風向偏向板１５が、図示はしないが、図４に示す位置とは反対側に傾斜して、空気吹出路１３ｂの長手方向（左右方向）の逆方向に風向を偏向させることになる。
【００４９】
複数（四側）の空気吹出路１３ｂを流通し、この空気吹出路１３ｂの長手方向（左右方向）に向けて風向を偏向した吹出空気流は、化粧パネル９に備えた吹出口８に送出され、この吹出口８に回動自在に設けられた上下風向偏向板１４により、上下方向の風向が偏向されて室内に吹き出される。
【００５０】
これにより、隣接する複数の空気吹出路１３ｂに備えた複数の左右風向偏向板１５を同じ駆動手段１６で駆動できるように簡素化をはかることができ、コストを低減し作業性を向上できるようにした構成となり、また、図５に示す矢印ａのように吹出空気を吹出口８の前方に吹き出せるようになるとともに、図５に示す矢印ｂのように各コーナ部に向けて吹き出せるようになって、室内の温度ムラを抑えて快適な空気調和を行えるようになる。
【実施例２】
【００５１】
次に、実施例２として示す図６（Ｂ）に基づいて、スペーサ１３に設けられる複数の左右風向偏向板１５と、この複数の左右風向偏向板１５を回動自在に駆動する駆動手段１６の構成について以下に説明する。なお、実施例１で説明した構成と重複する箇所については、説明を省略する。
【００５２】
連結板１７は、図６（Ｂ）に示すように分割されており、駆動モータ１８ａの駆動軸に備えた駆動ピニオン１８ｂに対し、分割されている両先端部に形成された従動用ラック１７ａが夫々噛合した構成になっている。
【００５３】
分割された連結板１７の一方に備えた従動用ラック１７ａは、湾曲している先端部の内側に形成されて駆動ピニオン１８ｂに歯合し、他方に備えた従動用ラック１７ａは、湾曲している先端部の外側に形成されて駆動ピニオン１８ｂに歯合している。
【００５４】
これにより、例えば、駆動モータ１８ａを駆動して連結板１７の一方を図６（Ｂ）に示す矢印Ａの側にスライドさせた際、他方の連結板１７は、矢印Ｂの側にスライドする構成になる。
【００５５】
ここで、実施例２として図６（Ｂ）に示す複数の左右風向偏向板１５と、この複数の左右風向偏向板１５を回動自在に駆動する駆動手段１６とを、スペーサ１３を構成するベース部１３１に組み付ける手順について説明する。なお、実施例１で説明した手順と重複する箇所については、説明を省略する。
【００５６】
駆動モータ１８ａを２個、実施例１の場合と同様に、ベース部１３１の対角線上となる二箇所のコーナ部に形成されたモータ収納部１３ｄに夫々１個づつ取り付けた状態で収納する。
【００５７】
単一の駆動モータ１８ａに対応する分割された連結板１７を、ベース部１３１に備えた収容溝１２にスライド自在に収容して、駆動モータ１８ａの駆動軸に備えた駆動ピニオン１８ｂに、分割されている連結板１７の両先端部に備えた夫々の従動用ラック１７ａを歯合させる。
【００５８】
枢軸１５ｂを、図３（Ｂ）に示すように、実施例１の場合と同様に挿通溝１２ｂの上方から挿入し、従動ピニオン１５ａを連結用ラック１７ｂに歯合させ、凹部となる挿通溝１２ｂと凸部となる枢軸１５ｂとで枢支して、複数の左右風向偏向板１５を複数の空気吹出路１３ｂに回動自在に組み付ける。
【００５９】
なお、駆動モータ１８ａは、実施例１の場合と同様に、対角線上の二箇所のモータ収納部１３ｄに１個づつ（計２個）は使わないで、単一の駆動モータ１８ａで、複数の空気吹出路１３ｂに夫々組み付けられた複数の左右風向偏向板１５を回動できるようにしてもよく、その場合、図示はしないが、分割された連結板１７を、複数（四側）の空気吹出路１３ｂに配設される複数の左右風向偏向板１５を全部いっしょに連結できるように形成することで、更に、構成の簡素化をはかることができる。
【００６０】
次に、実施例２として図６（Ｂ）に示す複数の左右風向偏向板１５と、この複数の左右風向偏向板１５を駆動する駆動手段１６により回動する動作について説明する。なお、実施例１で説明した動作と重複する箇所については、説明を省略する。
【００６１】
駆動モータ１８ａを起動することにより、この駆動モータ１８ａの駆動軸に備えた駆動ピニオン１８ｂが回転して、駆動ピニオン１８ｂに歯合している従動用ラック１７ａを備えた一方の連結板１７が、例えば、図６（Ｂ）の矢印Ａに示すようにスライドし、他方の連結板１７が、図６（Ｂ）の矢印Ｂに示すようにスライドする。
【００６２】
分割された一方の連結板１７が、矢印Ａに示すようにスライドすることで、複数の連結用ラック１７ｂに噛合した状態で夫々連結されている複数の従動ピニオン１５ａが回転し、この複数の従動ピニオン１５ａが一体的に形成されている複数の左右風向偏向板１５が、図６（Ｂ）の矢印ａに示すように回動して図４に示す位置に傾斜し、図４の太線の矢印のように、空気吹出路１３ｂの長手方向（左右方向）に向けて風向を偏向させることになる。
【００６３】
また、分割された他方の連結板１７が、矢印Ｂに示すようにスライドすることで、複数の連結用ラック１７ｂに噛合した状態で夫々連結されている複数の従動ピニオン１５ａが回転し、この複数の従動ピニオン１５ａが一体的に形成されている複数の左右風向偏向板１５が、図６（Ｂ）の矢印ｂに示すように回動して、図４に示すのと逆の位置に傾斜することになる。
【００６４】
これにより、実施例１の場合と異なり、隣接する空気吹出路１３ｂに夫々設けられた複数の左右風向偏向板１５を、互いに反対側に傾斜させるように回動できる構成になり、空気調和機が設置された位置や空気調和を行いたい室内の状況などに応じて、実施例１の構成あるいは実施例２の構成を選択し、もしくは組み合わせて実施できるようになる。
【符号の説明】
【００６５】
１  空気調和機の本体
２  空気吸込部
３  空気吹出部
４  送風機
５  熱交換器
６  ドレンパン
７  吸込口
８  吹出口
９  化粧パネル
１０  ダクト
１１  取込口
１２  収容溝
１２ａ  仕切り壁
１２ｂ  挿通溝
１３  スペーサ
１３１  ベース部
１３２  カバー部
１３ａ，１３ａ’  空気吸込路
１３ｂ，１３ｂ’  空気吹出路
１３ｃ  補強桟
１３ｄ  モータ収納部
１４  上下風向偏向板
１５  左右風向偏向板
１５ａ  従動ピニオン
１５ｂ  枢軸
１６  駆動手段
１７  連結板
１７ａ  従動用ラック
１７ｂ  連結用ラック
１８  駆動部
１８ａ  駆動モータ
１８ｂ  駆動ピニオン
【図１】
2010210132.tif 000003
【図２】
2010210132.tif 000004
【図３】
2010210132.tif 000005
【図４】
2010210132.tif 000006
【図５】
2010210132.tif 000007
【図６】
2010210132.tif 000008
【図７】
2010210132.tif 000009